(57)【要約】      （修正有）【課題】トルマリンを用いた衛生用品を提供する。【解決手段】衛生用品であって、利用者の肌と接触できるよう竹又はオーガニックコットン繊維で形成された第１層と、多孔質繊維の不織布で形成された第２層と、第２層に位置し、ポリプロピレンと、熱安定性エラストマとにより形成されており、ナノメータサイズのトルマリンの小片を含有する多孔質要素と、エアレイド紙で形成された第３層と、エアレイド紙で形成された第４層と、無塩素の超吸収性ポリマーで形成された第５層と、エアレイド紙で形成された第６層と、前記第３層に繋がって、前記第４層、前記第５層、及び前記第６層を３６０度で隙間なく包みこむラップを形成しており、エアレイド紙で形成された第７層と、通気性のある材質で形成された支持層である第８層と、粘着性物質で形成された第９層と、をこの順序で配置する。【選択図】図５
0003217454.tif 000002
【実用新案登録請求の範囲】
【請求項１】
個人衛生用、手術用又は治療用の衛生用品であって、
利用者の肌と接触できるよう竹又はオーガニックコットン繊維で形成された第１層と、
前記第１層の次の層であって、多孔質繊維の不織布で形成された第２層と、
前記第２層に位置し、ポリプロピレンと、熱安定性エラストマとにより形成されており、ナノメータサイズのトルマリンの小片を含有する多孔質要素と、
多孔質状の前記第２層の次の層であり、エアレイド紙で形成された第３層と、
前記第３層の次の層であり、エアレイド紙で形成された第４層と、
前記第４層の次の層であり、無塩素の超吸収性ポリマーで形成された第５層と、
前記第５層の次の層であり、エアレイド紙で形成された第６層と、
前記第６層の次の層であり、前記第３層に繋がって、前記第４層、前記第５層、及び前記第６層を３６０度で隙間なく包みこむラップを形成しており、エアレイド紙で形成された第７層と、
前記第７層の次の層であり、通気性のある材質で形成された支持層である第８層と、
前記第８層の次の層であり、粘着性物質で形成された第９層と、
をこの順序で配置しており、
前記第１層における幅方向の両側には、液体が漏れるのを防止する漏れ防止部が形成されており、
前記第２層は、前記各漏れ防止部の間の長さよりも小さい幅であり、前記幅方向において前記漏れ防止部の間に位置しており、
生理用ナプキン、下着保護シート、失禁防止用品、手術用品、治療用品からなる群から選択される衛生用品。
【請求項２】
個人衛生用、手術用又は治療用の衛生用品であって、
サイドウィングを含み、利用者の肌と接触できるよう竹又はオーガニックコットン繊維で形成された第１層と、
前記第１層の次の層であって、多孔質繊維の不織布で形成された第２層と、
前記第２層に位置し、ポリプロピレンと、熱安定性エラストマとにより形成されており、ナノメータサイズのトルマリンの小片を含有する多孔質要素と、
多孔質状の前記第２層の次の層であり、エアレイド紙で形成された第３層と、
前記第３層の次の層であり、エアレイド紙で形成された第４層と、
前記第４層の次の層であり、無塩素の超吸収性ポリマーで形成された第５層と、
前記第５層の次の層であり、エアレイド紙で形成された第６層と、
前記第６層の次の層であり、前記第３層に繋がって、前記第４層、前記第５層、及び前記第６層を３６０度で隙間なく包みこむラップを形成しており、エアレイド紙で形成された第７層と、
前記第７層の次の層であり、通気性のある材質で形成された支持層である第８層と、
前記第８層の次の層であり、粘着性物質で形成された第９層と、
をこの順序で配置しており、
前記第１層における幅方向の両側には、液体が漏れるのを防止する漏れ防止部が形成されており、
前記第２層は、前記各漏れ防止部の間の長さよりも小さい幅であり、前記幅方向において前記漏れ防止部の間に位置している衛生用品。
【請求項３】
個人衛生用、手術用又は治療用の衛生用品であって、
利用者の肌と接触できるよう竹繊維で形成された第１層と、
前記第１層の次の層であって、多孔質繊維の不織布で形成された第２層と、
前記第２層に位置し、ポリプロピレンと、熱安定性エラストマとにより形成されており、ナノメータサイズのトルマリンの小片を含有する多孔質要素と、
多孔質状の前記第２層の次の層であり、エアレイド紙で形成された第３層と、
前記第３層の次の層であり、エアレイド紙で形成された第４層と、
前記第４層の次の層であり、無塩素の超吸収性ポリマーで形成された第５層と、
前記第５層の次の層であり、エアレイド紙で形成された第６層と、
前記第６層の次の層であり、前記第３層に繋がって、前記第４層、前記第５層、及び前記第６層を３６０度で隙間なく包みこむラップを形成し、エアレイド紙で形成された第７層と、
前記第７層の次の層であり、通気性のある材質で形成された支持層である第８層と、
前記第８層の次の層であり、粘着性物質で形成された第９層と、をこの順序で配置しており、
前記第１層における幅方向の両側には、液体が漏れるのを防止する漏れ防止部が形成されており、
前記第２層は、前記各漏れ防止部の間の長さよりも小さい幅であり、前記幅方向において前記漏れ防止部の間に位置している衛生用品。
【考案の詳細な説明】
【技術分野】
【０００１】
本考案は、個人衛生用品や手術用品、特に、女性用生理用ナプキン、傷のケアや治療のための包帯、尿失禁用品等であって、トルマリンを用いたものに関するとともに、これらの分野での当該ミネラルの使用に関する。
【背景技術】
【０００２】
特に、月経期間において、女性の泌尿生殖器は、多数のバクテリアや真菌感染症に敏感である。化学物質を使用したり化学物質で染色されたプラスチック、セルロース繊維、不織布等の原材料が、容易に雑菌が混入したり低品質であることが原因で、数時間使用した生理用ナプキンは、汚染されているかもしれない（１センチ平方当たり、１０７以上のバクテリアで）。これらが敏感な肌に接触すると、外陰膣のｐＨを不安定にさせる。上述した病原性微生物やそれ以外の種類の病原性微生物は、例えば、火傷、擦り傷、外傷、損傷及び手術後の経過中の部位といった体腔、口及び皮膚や、他の同様の部位に、悪い影響を与えるであろう。また、損傷のない部位であっても、上述と同様の質のバンデージ（傷に直接触れず、傷治療用包帯やガーゼを保持するために使用されるもの。）、ガーゼを使用することで、皮膚ｐＨの不安定化といった同様の問題を招くであろう。
【考案の概要】
【考案が解決しようとする課題】
【０００３】
上述の状況を考慮して、出願人は、手術用品、生理用品、及び個人衛用品、特に、女性用生理用ナプキン、ガーゼ、バンテージ、傷をケアし処置するための包帯、使い捨て手術用品、失禁用タオル、おむつ等に使用される材質を開発した。
【課題を解決するための手段】
【０００４】
第１態様で、本考案は、複数の層で形成され、外膣のｐＨを最適値である３．８０から４．２９（酸性ｐＨ）に保つことができる高品質の原材料でできた、生理用ナプキン又は生理用パッドである。透過性の原材料で形成されたナプキンの最終層は、酸素の透過と保持とを可能し、嫌気性細菌の排除に寄与する要素となる。もし、以下の外膣性疾患（かゆみ、火傷、悪臭、目立った分泌）があるなら、それらは、おそらく、感染によって引き起こされている。もし、その症状の発生が、低品質で雑菌が混入したナプキンを継続使用することにより継続して悪化しているなら、恐らく治療が必要であろう。医者は、生理用ナプキンの銘柄をより品質の高いものに変更するよう提案するかもしれない。
【０００５】
医者は、ｐＨ検査、膣からの排出物の顕微鏡検査、アミン臭、細菌培養、プレパラート検査及びグラム染色を併用して使用することで、外膣性感染症と診断するかもしれないことを述べておく必要がある。
【０００６】
生理用ナプキンや生理用パッドに使用される材料は、この明細書中では、便宜上“小片”と呼ばれ、高親水性であり、ナノメートルサイズで微細に粉砕されたトルマリン粉末を含んだ熱安定性の高いポリプロピレンのエラストマ原料で形成されているという特徴を有している。
【０００７】
他の態様として、本考案はまた、尿失禁のみならず、他の手術用、衛生用、医療用及び個人用の製品に適用され、高吸収性ポリマー、ポリプロピレン、熱安定性の高いエラストマ及びトルマリンで構成されている。
【０００８】
怪我のケア等の外科的な適用の態様では、本考案は、概して、抗菌作用、肌のｐＨバランス維持、肌への刺激の低減、炎症、かゆみの低減及び細菌を原因とする悪臭の除去に高い効果がある。
【０００９】
高吸収性ポリマー（ＳＡＰ）の性能により、滲出液の量を減少させ、傷の乾燥を維持することで、包帯の交換期間を長くできるが、治癒の改善は、まさしく、滲出液の量に関係しているのである。
【００１０】
これら用品の機能的な特徴は、雑菌混入し湿気を含んだ傷の治療に役立つ。
【００１１】
本考案の詳細な記載は、明細書の一部である添付図面の裏付けによって、後に説明される。
【図面の簡単な説明】
【００１２】
【図１】本考案に係る、昼用ナプキン又は生理用パッドの長手方向の概略図。
【図２】本考案に係る、夜用ナプキン又は生理用パッドの長手方向の概略図。
【図３】本考案に係る、昼用のナプキン又は生理用パッドの長手方向の概略図。
【図４】本考案に基づいて作られた下着保護具の長手方向の概略図。
【図５】本考案に係る、昼用及び夜用に兼用できるナプキン又は生理用パッドの断面図。
【図６】本考案の思想に基づいて作られた包帯の長手方向図。
【図７】図６に係る包帯の断面図。
【考案を実施するための形態】
【００１３】
本考案の各種態様に係る製品は積層構造であり、すなわち、適切な順序で配置された複数の層を備えている。本考案の第１態様における各実施形態、すなわち、ナプキン又は生理用パッドとして示されるものは、符号や層が配置される順序と関連して詳細に説明される。
【００１４】
今のところは、考案の各態様で、“小片”と呼ばれる特別な層を備えている、と言えば十分である。この層は、ポリプロピレン材料や温度安定性エラストマで形成されており、高親水性であり、液化ポリプロピレンや熱安定性エラストマの原材料に含まれた微小サイズで細かく砕かれたトルマリン（焼成され、又は凝固された）の粉が含まれている。
【００１５】
これらの層の構造は不織布を元としており、トルマリンの原料からナノメートルサイズの細かい粉状の塵が作られる。そして、電極形成と呼ばれる機械加工の工程に進む。すなわち、装置が電場を形成し、双極子と圧電現象を誘起する。繊維には永続的に電荷が付され、この電荷は高い指向性に保たれ、繊維層の表面に供給される。また、その繊維は、例えば、電極に充填されている総重量の１〜５％毎に、ポリプロピレンや熱安定性エラストマといった液体原料の１ガロンに、自然に又は人工的に添加され、均一に混合され分散されることで、形成される。天然のミネラルであるトルマリンを含んだこれら原料は、周知のスピニングにより、溶着して混合繊維又はフィルター材料になる。
【００１６】
トルマリン原料は、上述した構造の中に含まれており、便宜上、以後、“トルマリン小片”とも呼ぶ。この“小片”は、混合繊維で形成された不織布であり、ポリプロピレンと熱安定性エラストマとに混合されて形成され、構造の機械的性質（親水性効果）を向上させ、優れた透過性を備えさせる目的を有している。中間の架橋密度を備えたポリプロピレンと熱安定性エラストマは、最適な架橋結合である。事実、この架橋結合は、繊維（その小片）のトルマリンの含有量を高め、１平方センチメートル当たり５．９５０以上の陰イオンと赤外線中の光子エネルギーの放出を高める重要な構造要因（共有結合）である。
【００１７】
本考案の各実施形態の記載で後に理解することになるが、トルマリンの“小片”は、各構造の特定部位に配置されている。本実施形態のナプキンや生理用パッドの場合、トルマリンの“小片”は、ナプキン表面や生理用パットの中央に配置されており、それは体に接触する表面に対しては内側で、体に接触する部分とは反対側である。ナプキンや生理用パッドにおける長さ・幅に対するトルマリン層の長さ・幅の比率は、２分の１から４分の２であり、好ましくは、本考案の生理用パッドやナプキンの第２層である。
【００１８】
一方で、本考案の繊維材料の製造方法は、第１原料の形成を備えている。この第１原料は、モル重量で３.１５×１０５ｇ／ｍｏｌ、総重量の約７０−９５％と同等のポリプロピレンの第１小片、又は、１．５から２５×１０５ｇ／ｍｏｌのポリスチレンの第１小片を含む（後述のテストで説明される好ましい実施形態は、第１ポリプロピレンに基づいており、これは原料の８０％に達している。）。そして、ナノメートルサイズのトルマリンの割合は総重量の５から３０％であり、同様に、熱安定性エラストマも、総重量の１から４０％である。第１原材料は積層されて集積しており、分子量で３．１５×１０５ｇ/ｍｏｌのポリプロピレンの第２小片、又は、分子量が１．５×２．５×１０５ｇ／ｍｏｌのポリスチレンの第２小片が、第２原材料として用いられる。これらトルマリン集積体の容量は、総重量の１〜１０％である。
【００１９】
そして、その集積体と第２原材料が溶着されて、スピニングされ、冷却され、熱を加えて引き伸ばされ、繊維に形成される。スピニング温度は、２００度から３００度の間で変化する（本考案の好ましい形態では、ポリプロピレンについてはスピニング温度は２００度から２５０度の間で変化し、ポリアミドについては２５０℃から３００℃の間で変化する）。また、伸長回数は、３から８であり、熱を加えた伸長温度は、１３０℃から１６０℃の間（好ましい形態では１００℃）である。そして、熱的形成温度は、７０℃から１００℃（本考案の好ましい態様では９０℃）である。そして、ナノメートルサイズのトルマリン繊維とポリプロピレン又はポリエチレンは巻き取られ、織機（本考案のシャトルのステンレススチールパイプ）により、ナノメートルサイズのトルマリン繊維とポリプロピレン又はトルマリンのフィルターに織り込まれる。これらフィルターの長手方向の密度は１インチ当たり３５から５０の糸数であり、横方向の密度は１インチ当たり３０から４０毛数であり、織幅は６５℃である。
【００２０】
繊維（主にポリプロピレン製）で構成されたフィルター材料は、強固な機械的性質を有しており、その引っ張り強さは、繊維の縦強度が増加する（４１．１７ｋｇｆ／ｃｍ２から３７．２１ｋｇｆ／ｃｍ２）のに従って徐々に減少する。これは、硬質のトルマリンの粉末が、溶着やスピニングにより、ポリプロピレンや熱安定性エラストマの繊維構造に含有されているためであり、そのため、陰イオンとポリプロピレンの繊維との結合が向上するが、いくつかの陰イオンは繊維の耐性を劣化させる粒子を繊維中に形成する。そのため、微粒子の数の増加に応じて、引っ張り強さが減少する。
【００２１】
上述の記載から解るように、本考案の目的は、深部に液体を迅速に導き、機械的性質（親水性）を増加させ、優れた浸透性を備えさせるために、パッドの中央に多孔質繊維と小片が配置された混成構造を提供することにある。中間の架橋密度を備えたポリプロピレン構造と熱安定性エラストマは、最適な組合せである。事実、この組合せは、繊維（小片）にとって、トルマリン繊維の含有量を増加させ、陰イオンや赤外線の排出に貢献する重要な構造要因（共有結合）である。
【００２２】
この新しい手法は、以下のような医療用品の生地にも用いることができる。
・女性用生理用ナプキンやパッド、ガーゼ、バンテージ又は手術用及び傷ケア用の包帯、肌ケアプロテクタ、使い捨ての大人用、赤ちゃん用又は早産用おむつ、尿漏れ用の保護具又はパッド、失禁用のパッド又は保護具、下着、おむつ、折りたたみガーゼ、トレーニング下着、女性用下着、肌着、入浴用着衣、妊婦用保護具、枕、タンポン、あらゆる種類の使い捨て医療用バンテージ、マスク及び使い捨て保護具、及び、あらゆる種類の使い捨て手術用品。
【００２３】
ポリプロピレンは、不織布の原材料に使用される主要なポリマーであり、おむつや生理用品の５０％以上で使用される。ポリプロピレンは、自然に水になじみにくくさせるためではなく（疎水性）、水分を吸収させるために使用される（親水性）。
【００２４】
スピニングにより結合されたポリプロピレンは、溶着により不織布の膨張構造と結合し、ＳＭＳ（spinning-melting-spinning）と呼ばれる層状製品となる。溶着により膨張した不織布材料は、非常に微細な繊維径を有するが、丈夫な布ではない。スピニングで形成された織物は、レジンを用いる場合でも、熱を用いる場合でも結合する。
【００２５】
本考案の製品の利点のいくつかを、以下に記載する。
・１平方センチ当たり５９５０以上のマイナスイオンという陰イオンの発生を促進し、遠赤外線中に光子を放出する。
・抗菌仕様により、刺激、かゆみ、火膨れ、悪臭、異常な漏れ、炎症を低減し、生理不順に適用することができる。
・接触性皮膚炎
・子宮内の解毒を促進する。
・多様な泌尿生殖系の問題の除去を手助けする。
・粘膜と肌のｐＨの平衡を維持する。
・吸収材として、ＳＡＰ（super absorbent polymer）として知られている、塩素不使用ポリマーゲルを使用する。
【００２６】
高吸収性ポリマ（ＳＡＰ）は、分子結合の中に水分を保持し、加圧下においても水分を保持する。ＳＡＰの吸収能力は、ポリマーの浸透圧、親和性及び弾性により、その値が定められる。浸透圧は吸収能力において最大圧となる。月経血は、５５％がリンパ漿であり、リンパ漿は、９０〜９２％が水分であり、このことは、血液の５０％が水分であることを意味するが、本考案に係る製品は、どれだけ月経血の量が多くとも、体液を吸収保持することに適している。
【００２７】
加えて、最終製品は、以下に要約された他の利点や特徴がある。
・薬物や化合物を使用することなく、純粋な物理的性質を備え、また、副作用がない。
・ボトム層（体と接触する部分と反対側）は、通気性があり、液体の漏れがない。この層は、生理用ナプキンに空気を通過させると同時に、湿気に対するバリアとしても機能する。結果として、優れた乾燥性や快適性を肌に与える。
・極めて効果的で即効性があり、無害である。
・アレルギー性がない。グルテンアレルギー又はセリアック病の利用者であっても、成分により影響を受けにくい。グルテンは、タンパク質の混合物であり、小麦、ライ麦、大麦、オーツ麦に含まれている。いずれのプロテインも、本考案の製品には使用されていない。
【００２８】
本考案に係る、他の生理用や医療用の構造の実際例を提示する前に、添付図面に基づいて、各構造を形づくる各層を示すために符号の順序を使用し、これらの構造の記載を明確にしておくことが必要となる。第１層は、常に、図の一番上に位置し、すなわち、利用者の体と接する層である。
【００２９】
図から解るように、本考案に基づいて構成された生理用ナプキンは、人間工学的であり、他の特徴のうちでは、望ましくは、９の層を備えている。これらの層のうち、第１層は、竹製又はオーガニックコットンの層であり、横漏れを防止するために構成されたサイドエッジを備えている。また、素早く乾燥するための吸収性を発揮し、湿気を防止することで、よりよい吸収性と、優れた快適性を与える。第２層は、中央部にトルマリンの小片を含んでいるために特徴的な構成である。また、第２層は、前述したように、細かく粉砕されたトルマリンを含有するポリプロピレン繊維の不織布と熱安定性エラストマにより形成されている。トルマリンの小片は、月経時の分泌物を迅速に生理用ナプキンの内側に透過させ、親水性を増加させるための手段として穴が形成されており、優れた浸透性を達成し、１立方センチメートル当たり５，９５０のマイナスイオンと遠赤外線中の光子を放出する。
・第３層は、エアレイド紙の層で、３６０度を隙間なく包まれており、生理用ナプキンを変形させたり、雑菌を混入させたりしない。
・第４層も、エアレイド紙であり、鮮度を向上させ、生理用ナプキンに十分な吸収性を与える。
・第５層は、超吸収性ポリマー（ＳＡＰ）である。ＳＡＰは、加圧化においてもその分子結合中に水分を保持するため、第５層は、主に浸透圧によって決定される量の液体を吸収できる。
・第６層と第７層は、第４層と同様の構成であり、第４層と同様の役割を担っている。
・第８層は、革新的な支持層であり、空気を、本考案に係る製品である生理用ナプキンに透過させると同時に、月経時の体液により、下着や着衣に染みがつくのを防止又は予防することで、親水性のバリアとして作用する。その結果、優れた乾燥性と快適性を肌に与える。
・最後に、第９層は、粘着性物質でできた複数の線（この実施形態では１０本）により形成されている。この層は、製品の製造を容易にし、生理用ナプキンを下着に接着させておく。この粘着性物質は、食品用の粘着物質である。
【００３０】
加えて、生理用ナプキンの使用時まで、取り外し可能なワックスペーパーが、粘着物質を保護するためにある。
【００３１】
図１、２及び３は、本考案に係る生理用ナプキンの３つのバリエーションを示している。図１は、昼用の生理用ナプキンを示しており、その望ましい寸法は、長さが２３０から２４０ｍｍである。図２は、夜用の生理用ナプキンを示しており、好ましい寸法は、長さが２７０から２８０ｍｍである。図３は、下着保護シートを示しており、好ましい長さは、１５５ｍｍから１６５ｍｍである。
【００３２】
図１と図２において、符号１は、トップ層（第１層）を示している。すなわち、利用者の体と接触する層であり、竹やオーガニックコットンの材料で形成されている。符号２は、いわゆる、トルマリンの小片を示しており、微細に粉砕されたトルマリンを含有する、ポリプロピレン繊維や熱安定性エラストマの不織物を主とする布の部位である。符号３は、漏れ防止用のバリア又は織り端を示している。符号４は、後ろ側又は支持部を示しており、これは符号１と対向する位置にあり、形状が適合した二重のチャンネル形状とされ、互いに結合し、漏れを防止するよう設計されている。最後に、符号５は、生理用ナプキンのフィンを示している。
【００３３】
図３と４は、下着保シートを示している。これらの図において、符号１から４は、図１及び２の同じ符号の特徴と対応しているが、図４では、フラップを備えていない。
【００３４】
一方、図５は、本考案に係る昼夜兼用の生理用ナプキンの断面図を示している。この図５においても、符号１は、図１から３のものに対応する第１層であり、符号２もまた、図１から３のものに対応する第２層を示している。符号３は、符号４で示される第４層と同様に、紙製の第３層を示している。符号５は、高吸収ポリマーで形成された第５層を示しており、符号６と７は、それぞれ、紙製の第６層と第７層を示している。符号８は、バックシート又は支持部を示しており、生理用ナプキンの通気を可能にし、湿気に対するバリアとして機能し、雑菌の侵入を防止し、一般的に下着や着衣を保護する。最後に、符号９で示されているものは、第９層であり、下着の中で生理用ナプキンを固定し位置を維持するための粘着性物質で形成された１０本の線から構成される。加えて、第９層の上には、ワックスペーパーのシート（図示していない）が含まれ、このシートは、粘着物質を保護し、下着の中に生理用ナプキンを固定する使用時には取り外すことができる。
【００３５】
本考案の第２態様である医療用途、外科用品及び治療用品、特にガーゼ、バンテージ及び包帯に関して、それらの製品には粘着性物質は不要であるため第９層を除き、好ましくは、本考案で説明した８層で構成されている。各第８層は、同じ物理的及び機能的な特徴を備えている。一方、その形状は様々で、好ましくは矩形状で、２つの好ましいサイズがあり、１つは２０×８ｃｍ、もう１つは２０×１３ｃｍである。
【００３６】
合衆国内の病院において、院内感染の割合は、平均で２から３％であること、及び、感染者の６人に一人は、手術部位感染（ＳＳＩ）を経験しており、これらＳＳＩは、入院を６日以上長引かせ、それゆえ、３，０８９ドルものコストを増加させることに注意すべきである。この理由により、本考案に係る一連の外科用品、治療用品、傷ケア用品が作られ、特に、手術部感染（ＳＳＩ）に対処し、傷を治癒し、褥瘡を予防するために、術後のケア用品が作られた。
【００３７】
２つの状況が考慮されるべきである。１つは、トルマリン“小片”に摩擦や圧力が生じると、その小片は、大量のマイナスイオンを放出し、同時に遠赤外線を放出する。それゆえ、ポリプロピレン、熱安定性エラストマ及びトルマリンといった本考案の第２態様の原料を含有すると、非常に化学的作用や強い酸化還元作用が（redox）生じ、殺菌効果により、バクテリアの薄膜や細胞原形質中の酸素活性にダメージを与えることができる。トルマリンを含有するポリプロピレンの繊維や熱安定性エラストマを含む包帯は、傷に対して基本的な保護を与えるのみならず、皮膚の創端を浸潤させることなく、皮膚のｐＨバランスを整え上皮の再形成を促進するのに有効な回復環境を形成する。
【００３８】
図６は本考案の原理による包帯の一例である。図では、符号１は、本考案の第１態様の変形例の第１層と同じトップレイヤーを示し、同様に、符号２が付された第２層はトルマリンの小片を含んでいる。符号３は、漏れを防止するためのサイド棒を示し、符号４は、後ろ側又は支持部であり、形状が適合した二重のチャンネル形状を備え、このチャンネル形状は互いに結合し、漏れを防止するよう設計されている。
【００３９】
図７は、同じ包帯の断面図であり、符号は層の順序に沿って示されている。再度、第１層は、体に接触する層であり、本考案の第２態様の要素となる一連の層の外形を形成している。
【００４０】
第１層は、竹やオーガニックコットンの層である。
【００４１】
第２層は、包帯の中央にトルマリンの小片を備える。
【００４２】
第３層は、３６０度を隙間なく包まれた紙製の層である。
【００４３】
第４層は、紙製であり、最大吸収率を達成する。
【００４４】
第５層は、ＳＡＰと呼ばれる超吸収層である。
【００４５】
第６層は、紙製であり、最大吸収率を達成する。
【００４６】
第７層は、３６０度を隙間なく包まれた紙製の層である。
【００４７】
第８層は、支持シートであり、湿気から保護する作用をするが、部材の換気を可能し、雑菌の混入を防ぎ、着衣を保護する。
【００４８】
第９層は、湿気を防止する平行な織り端である。
【００４９】
本考案は、上述のいくつかの態様で記載及び図示されているが、明細書で記載され及び図示された内容は、本考案の権利範囲を限定するものではなく、単に、考案の特徴を、理解できる方法で示しているだけである。それゆえ、本考案は、以下に記載される実用新案登録請求の範囲に記載された内容のみに限定される。
【図１】
0003217454.tif 000003
【図２】
0003217454.tif 000004
【図３】
0003217454.tif 000005
【図４】
0003217454.tif 000006
【図５】
0003217454.tif 000007
【図６】
0003217454.tif 000008
【図７】
0003217454.tif 000009